(57)【特許請求の範囲】
【請求項１】
棚板に取り付けて用いる棚用仕切体であって、段ボール板紙を所定の形状に折り曲げて組み立てられるものにおいて、
前記棚板の上面に当接する基部と、該基部上に立設された起立部とを備え、
前記基部は、前記棚板の上面に沿って広がる横板と、該横板の一側縁に形成された第１折目線を介して該横板に連設され、前記棚板の側面に沿って下方に垂下する垂下片とを備え、
前記起立部は、前記第１折目線に対して交差する方向に延びる前記横板の他側縁に沿って形成された第２折目線を介して該横板に連設されて起立状態の第１縦板と、該第１縦板の上縁に第３折目線を介して連設されて該第１縦板に重合状態の第２縦板と、該第２縦板における前記垂下片側の端縁から張り出す張出部と、該張出部の下方に連設されて前記垂下片に係止することにより前記基部に対する前記起立部の起立状態を維持する係止片とを備えることを特徴とする棚用仕切体。
【請求項２】
前記基部は、前記第２折目線を介して前記第１縦板が前記横板に対して起立状態となった時に、該第１縦板から遊離することにより前記横板に連続して前記棚板の上面への当接面積を前記第２縦板側に拡張する拡張部を備えることを特徴とする請求項１記載の棚用仕切体。
【請求項３】
前記起立部は、前記第２縦板の下縁に第４折目線を介して連設されて前記拡張部の上面に重合する重合片を備えることを特徴とする請求項２記載の棚用仕切体。
【発明の詳細な説明】
【技術分野】
【０００１】
本発明は、物品の陳列棚に取り付けて用いる棚用仕切体であって、段ボール板紙を所定の形状に折り曲げて組み立てられるものに関する。
【背景技術】
【０００２】
従来、保管棚に保管される物品を棚上で仕切るために、棚上でその間口方向に移動させることができる仕切体を用いることが行われている。この種の仕切体は、矩形状の金属板を直角に折り曲げることにより形成され、棚板の上面に当接載置する横板部と、この横板部から起立する縦板部とを備えている（例えば下記特許文献１参照）。
【０００３】
更に、この種の仕切体においては、横板部の前側縁から下方に折り曲げられて保管棚の棚板前面に沿って垂下する垂下片を備えており、この垂下片に保管される物品名等の表示や識別用のラベル等を貼付することが行われている。
【０００４】
しかし、金属製であることにより未使用状態であっても嵩張りやすく重量もあるため扱い難いという不都合があった。
【０００５】
そこで、未使用状態で扁平としておくことができ、使用時には容易に組み立てることができる仕切体が提案されている（下記特許文献２参照）。
【０００６】
この仕切体は、横板部、垂下部、及び縦板部が１枚の段ボール板紙を折り曲げることにより形成されており、扁平状態での保管が可能であって軽量である点で金属製に比べて取り扱いが容易となっている。
【先行技術文献】
【特許文献】
【０００７】
【特許文献１】実開昭５８−１２１２４１号公報
【特許文献２】特開２０１１−１３１９４８号公報
【発明の概要】
【発明が解決しようとする課題】
【０００８】
ところで、段ボール板紙を折り曲げただけでは、仕切体の形状を維持することができない。そのため、上記特許文献２においては、段ボール板紙を折り曲げた仕切体本体部分に金属製或いは合成樹脂製のクリップを取り付けることにより、横板部に対する縦板部の起立状態、及び、横板部に対する垂下部の折り曲げ状態を維持している。
【０００９】
しかし、段ボール板紙による本体部分とクリップとは別体であり、未使用状態で扁平とした段ボール板紙の本体部分とは別にクリップを製造し保管する必要がある。このため、仕切体の製造工数が増加するだけでなくクリップの管理が必要となって取扱いが煩わしい。更に、仕切体を形成した状態であっても、クリップが脱落してしまうと仕切体の形状が維持できず、仕切体として使用できなくなる。
【００１０】
上記の点に鑑み、本発明は、別部材を用いることなく１枚の段ボール板紙のみで簡単に組み立てることができ、確実に所定の形状を維持することができる仕切体を提供することを目的とする。
【課題を解決するための手段】
【００１１】
本発明は、棚板に取り付けて用いる棚用仕切体であって、段ボール板紙を所定の形状に折り曲げて組み立てられるものにおいて、前記棚板の上面に当接する基部と、該基部上に立設された起立部とを備え、前記基部は、前記棚板の上面に沿って広がる横板と、該横板の一側縁に形成された第１折目線を介して該横板に連設され、前記棚板の側面に沿って下方に垂下する垂下片とを備え、前記起立部は、前記第１折目線に対して交差する方向に延びる前記横板の他側縁に沿って形成された第２折目線を介して該横板に連設されて起立状態の第１縦板と、該第１縦板の上縁に第３折目線を介して連設されて該第１縦板に重合状態の第２縦板と、該第２縦板における前記垂下片側の端縁から張り出す張出部と、該張出部の下方に連設されて前記垂下片に係止することにより前記基部に対する前記起立部の起立状態を維持する係止片とを備えることを特徴とする。
【００１２】
即ち、本発明においては、先ず、横板の一側縁に第１折目線を介して連設された垂下片を、第１折目線に沿って下方に且つ横板に対して直角に折り曲げる。これによって基部が形成される。
【００１３】
次いで、横板の一側縁に交差する方向に延びる横板の他側縁に第２折目線を介して連設された第１縦板を第２折目線に沿って上方に折り曲げて横板に対して直角に起立させ、第１縦板の上縁に第３折目線を介して連設された第２縦板を第３折目線に沿って折り曲げて第１縦板に重合させる。これにより基部上に起立する起立部が基部と一体に形成される。
【００１４】
このとき、第２縦板における垂下片側の端縁に連設されている張出部が垂下片側に張り出す。
【００１５】
そして、張出部の下方に連設された係止片を垂下片に係止させる。例えば具体的には、垂下片に凹部を形成し、係止片には垂下片の凹部に対応して係止可能な凸部を形成しておけばよい。これにより、基部に対する起立部の起立状態が維持される。
【００１６】
以上のように、本発明の棚用仕切体は１枚の段ボール板紙から組み立てることができる。しかも、係止片が垂下片に係止することにより基部に対する起立部の起立状態が維持されるので、別部材を用いなくてもよい。また、本発明の棚用仕切体を未使用状態で扁平としておくときにも、クリップ等の別部材の管理が不要となり、取扱いが極めて容易である。
【００１７】
本発明において、前記基部は、前記第２折目線を介して前記第１縦板が前記横板に対して起立状態となった時に、該第１縦板から遊離することにより前記横板に連続して前記棚板の上面への当接面積を前記第２縦板側に拡張する拡張部を備えることが好ましい。これにより、棚板の上面に対する基部の当接面積を十分に大きくすることができ、棚板に対して安定した取り付け状態で棚用仕切体を使用することができる。
【００１８】
更に、前記起立部は、前記第２縦板の下縁に第４折目線を介して連設されて前記拡張部の上面に重合する重合片を備えることが好ましい。重合片によって拡張部が補強されるので、拡張部を比較的小さくして起立部の起立状態を強固に維持することができる。
【図面の簡単な説明】
【００１９】
【図１】本実施の実施形態の棚用仕切体の斜視図。
【図２】本実施形態の棚用仕切体の展開図。
【図３】本実施形態の棚用仕切体の組立工程を説明するための斜視図
【図４】本実施形態の棚用仕切体の組立工程を説明するための斜視図
【発明を実施するための形態】
【００２０】
本発明の一実施形態を図面に基づいて説明する。図１に示すように、本実施形態の棚用仕切体１は、多種類の物品を保管する物流倉庫等の棚において、種類別にその棚板Ｔ上を横方向に仕切るためのものである。
【００２１】
本実施形態の棚用仕切体１は、棚板Ｔの上面に当接する基部２と、基部２上に立設された起立部３とを備えている。棚用仕切体１は、図２に示すように、大略矩形状に打ち抜き形成された１枚の段ボール板紙４を所定の位置で折り曲げることによって組み立てられる。
【００２２】
先ず、棚用仕切体１を形成する段ボール板紙４の構成について図２を参照して説明する。段ボール板紙４は、横板５を備えている。横板５の前半部５ａの横方向端部には前後方向に長い拡張部６が連設されている。図２においては、説明の便宜上、横板５と拡張部６との境界を二点鎖線で示すが、横板５と拡張部６との境界には何も存在しておらず、横板５と拡張部６とは互いに連続して一体に形成されている。
【００２３】
横板５から拡張部６にわたる前側縁には、横方向に延びる第１折目線７を介して垂下片８が連設されている。垂下片８には、切欠き９が形成されている。
【００２４】
横板５の後半部５ｂ（拡張部６の後方位置）の横方向端縁（第１折目線７に対して交差する方向に延びる端縁）には、第２折目線１０を介して第１縦板１１が連設されている。第２折目線１０は、拡張部６の外側縁となる第１切目線１２に連続して前後方向に延びている。第１切目線１２は拡張部６と第１縦板１１との境界に存在し、これによって拡張部６は第１縦板１１から遊離自在となっている。
【００２５】
第１縦板１１における第２折目線１０と反対側の横方向端縁（第１縦板１１を起立させたときの上縁）には、第２折目線１０と平行に延びる第３折目線１３を介して第２縦板１４が連設されている。第３折目線１３は、所謂半切り（折り曲げ時に外側頂部となる側から外側のライナ及び段付き中芯に切込むことで片側にのみ切れ目を形成し、内側のライナで連設状態を維持するようにした折目線）により形成されている。
【００２６】
第２縦板１４の前側縁には、横方向（第２縦板１４を起立させたときの上下方向）に長い張出部１５が連設されいる。図２においては、説明の便宜上、第２縦板１４と張出部１５との境界を二点鎖線で示すが、第２縦板１４と張出部１５との境界には何も存在しておらず、第２縦板１４と張出部１５とは互いに連続して一体に形成されている。
【００２７】
更に、張出部１５の一側方（第２縦板１４が起立した状態のとき下方）に連続して係止片１６が設けられている。係止片１６には、垂下片８の切欠き９に対応する凸部１７が形成されている。凸部１７の突出量は垂下片８の厚み寸法（段ボール板紙４の厚み寸法）と同等の寸法とする。
【００２８】
また、第２縦板１４における第３折目線１３と反対側の横方向端縁には、拡張部６に対応する形状の重合片１８が第４折目線１９を介して連設されている。重合片１８と係止片１６及び凸部１７との境界は第２切目線２０とされ、第４折目線１９で重合片１８を折り曲げることで、重合片１８が第２切目線２０を介して係止片１６及び凸部１７から離間する。
【００２９】
次に、棚用仕切体１の組立手順について図２及び図３を参照して説明すれば、先ず、第１折目線７により、垂下片８を横板５に対して直角下方に折り曲げる。
【００３０】
次いで、第２折目線１０により、第１縦板１１を横板５に対して直角上方に折り曲げて起立させる。このとき、拡張部６が第１縦板１１から遊離し、これによって基部２が形成される。
【００３１】
更に、第３折目線１３により、第２縦板１４を折り返して第１縦板１１に重合させる。このとき、第２縦板１４を第１縦板１１に完全に重合させるに先立って、第４折目線１９により重合片１８を外方に折り曲げておく。
【００３２】
続いて、第２縦板１４を第１縦板１１に完全に重合させると、重合片１８が拡張部６上に重合し、同時に係止片１６の凸部１７が垂下片８の切欠き９に係合する。これによって起立部３が形成される。
【００３３】
なお、係止片１６の凸部１７を垂下片８の切欠き９に係合させるときには、垂下片８を横板５の下面側に鋭角となるように更に折り曲げた状態で押さえておく。これにより、係止片１６の凸部１７が垂下片８に干渉しないようにすることができる。そして、係止片１６の凸部１７が垂下片８の切欠き９に対応する位置にきたときに、垂下片８を横板５に対して直角となる姿勢に戻す。これにより、第１折目線７での折り曲げに伴う垂下片８の復元弾性が生じ、垂下片８が係止片１６への圧接方向に移動しようとするので、凸部１７が切欠き９に強固に嵌り込んで係止片１６の垂下片８への係止が強固に維持される。
【００３４】
このように、本実施形態の棚用仕切体１は、極めて簡単に組み立てることができるだけでなく、垂下片８に係止する係止片１６によって起立部３の起立状態が強固に維持される。よって、従来のようにクリップ等の別部材を用いることなく１枚の段ボール板紙４のみで棚用仕切体１を形成することができる。
【００３５】
なお、段ボール板紙４から棚用仕切体１を組み立てる際には、上述した手順に限るものではなく、適宜組み立てやすい方法で組み立て作業を行えばよい。
【００３６】
また、図２に示すように、横板５の前半部５ａと後半部５ｂとの境界に沿って、第１折目線７と平行に延びる補助折目線２１を形成しておいてもよい。これによれば、図４に示すように、組立時に横板５を補助折目線２１に沿って一時的に折り曲げ、補助折目線２１の折り曲げを解除しつつ係止片１６の凸部１７を垂下片８の切欠き９に係止させるようにすることができ、組立作業が容易となる。
【符号の説明】
【００３７】
Ｔ…棚板、１…棚用仕切体、２…基部、３…起立部、４…段ボール板紙、５…横板、６…拡張部、７…第１折目線、８…垂下片、１０…第２折目線、１１…第１縦板、１３…第３折目線、１４…第２縦板、１５…張出部、１６…係止片、１８…重合片、１９…第４折目線。
【図１】
0006574660.tif 000002
【図２】
0006574660.tif 000003
【図３】
0006574660.tif 000004
【図４】
0006574660.tif 000005